(57)【特許請求の範囲】
【請求項１】
脚、支持基部、及び座受を有する椅子本体と、座受に対して前後移動可能に取り付けた座とを具備し、座の下方かつ座と座受との間に椅子本体の幅方向に延びる板状の操作板を設け、座の前後移動に伴って操作板を前後に移動し得るように構成するとともに、操作板を椅子本体の幅方向に移動させて座を所定位置にロックし、またロックを解除し得るように構成しているものであって、
操作板に噛み合いに必要な形状を有する係合部を設けるとともに、椅子本体側の座受の上面に前記係合部が噛み合うことのできる形状を有する被係合部を設け、前記係合部と前記被係合部とを噛み合わせて座を所定位置にロックし得るように構成していることを特徴とする椅子。
【請求項２】
係合部がその操作板の一端に歯を形成してなるものであり、被係合部が椅子本体側の座受の上面の対面位置に同様の歯を形成してなるものであることを特徴とする請求項１記載の椅子。
【請求項３】
座を座受に載せ置くように構成しているとともに、前記被係合部を一端縁に歯を設けた細長い板状の部材を用いて形成し、この被係合部を座受の上面に介在させていることを特徴とする請求項２記載の椅子。
【請求項４】
弾性力により前記係合部と前記被係合部とが密着ないし略密着するように構成していることを特徴とする請求項１、２又は３記載の椅子。
【請求項５】
座の下面に操作板を収納する溝を設けていることを特徴とする請求項１、２、３又は４記載の椅子。
【請求項６】
座を座受に載せ置くように構成しているとともに、座受に前後方向に延びる長孔を設け、座に固定した突起をこの長孔に係り合せていることを特徴とする請求項１、２、３、４又は５記載の椅子。
【請求項７】
操作板の一端部を下方に屈曲させて操作部を形成していることを特徴とする請求項１、２、３、４、５又は６記載の椅子。
【発明の詳細な説明】
【０００１】
【発明の属する技術分野】
本発明は、座を前後に移動可能に構成した椅子に関する。
【０００２】
【従来の技術】
椅子において、その座り心地の良否は、身体に与える影響、執務効率等に与える影響の極めて大きいファクターであり、椅子の基本機能として最も重視されるところである。このため、例えば座を前後に移動させ、背凭れのリクライニングや背座ロッキングと併用して背凭れを後ろに傾けた姿勢において腰が確実に座に保持されるようにすることが考えられている。
【０００３】
【発明が解決しようとする課題】
このような椅子において、座の前後の位置を決定してロックするために、棒状の操作桿又はピンを固定側に設けた複数の固定孔のいずれかに選択的に係り合わせる構成のものが存在する。
【０００４】
しかし、係合部の強度を確保するには、操作桿又はピンを太くしなければならず、座と座受との間の限られたスペースに収納しにくくなる。さらに、操作桿又はピンを太くすると固定箇所のピッチを小さくできず、座の前後位置をきめ細かく設定することは困難になる不具合も発生する。
【０００５】
そこで本発明は以上に述べた問題を解決し、座のロック機構に関し、限られたスペースに収納できるようにするとともに、強度を確保しつつピッチを小さくできるようにするものである。
【０００６】
【課題を解決するための手段】
すなわち本発明に係る椅子は、脚、支持基部、及び座受を有する椅子本体と、座受に対して前後移動可能に取り付けた座とを具備し、座の下方かつ座と座受との間に椅子本体の幅方向に延びる板状の操作板を設け、座の前後移動に伴って操作板を前後に移動し得るように構成するとともに、操作板を椅子本体の幅方向に移動させて座を所定位置にロックし、またロックを解除し得るように構成しているものであって、操作板に噛み合いに必要な形状を有する係合部を設けるとともに、椅子本体側の座受の上面に前記係合部が噛み合うことのできる形状を有する被係合部を設け、前記係合部と前記被係合部とを噛み合わせて座を所定位置にロックし得るように構成していることを特徴とする。
【０００７】
このようなものであれば、操作板を肉薄のものにできるので、座と座受の間の限られた空間に収納しやすくなる。
【０００８】
さらに、操作板に噛み合いに必要な形状を有する係合部を設けるとともに、椅子本体側の座受の上面に前記係合部が噛み合うことのできる形状を有する被係合部を設け、前記係合部と前記被係合部とを噛み合わせて座を所定位置にロックし得るように構成しているので、より簡単な構成でロック機構を実現できる。
【０００９】
特に、ロックの強度を確保しつつ座を固定する位置のピッチを小さくするには、係合部がその操作板の一端に歯を形成してなるものであり、被係合部が固定側の対面位置に同様の歯を形成してなるものであるものにすればよい。歯を多数設けることにより、座を固定する位置のピッチを小さくしてもロックの強度を確保できるようになるからである。
【００１０】
簡単な構成によりこのようなロック機構を実現できるようにするには、座を座受に載せ置くように構成しているとともに、前記被係合部を一端縁に歯を設けた細長い板状の部材を用いて形成し、この被係合部を座受と座との間に介在させるようにすればよい。このようなものであれば、座を座受に載せ置くように構成しているので上載荷重により座の前後スライドをより確実にロックできるとともに、被係合部を座受と座との間に介在させることにより、座受の内面に歯を設ける手間が省けるからである。
【００１１】
弾性力により前記係合部と前記被係合部とが密着ないし略密着するように構成しているものであれば、操作板に力を加えない状態でも座の前後位置をロックしたままにしておくことができる。
【００１２】
座を座受の上面により効果的に載せ置くようにするには、座の下面に操作板を収納する溝を設ければよい。この溝に操作板を収納して操作板の下面と座の下面とを完全にないし略完全に面一にできるからである。
【００１３】
座を確実に前後方向にのみ移動できるようにするには、座を座受に載せ置くように構成しているとともに、座受に前後方向に延びる長孔を設け、座に固定した突起をこの長孔に係り合せるようにすればよい。長孔と突起との掛かり合わせにより座の移動方向及び移動範囲を規制することができるからである。
【００１４】
少ない部品点数でより簡単に操作板を移動させるようにするには、操作板の一端部を下方に屈曲させて操作部を形成すればよい。この操作部をつまんで操作を行うことができるとともに、操作板を椅子本体から突出させて外部に露出するようにしなくても操作部に手をかけて操作を行うことができるからである。
【００１５】
【発明の実施の形態】
以下に本発明の一実施形態について述べる。
【００１６】
本実施形態に係る椅子Ｃは、図１〜図３に示すように、構造体としての基盤をなすその椅子本体１が、脚２と、脚２の上端側に取り付けた支持基部３と、前部を前記支持基部３に支持させた座受４と、基端を前記支持基部３に取り付け中間部に前記座受４の後部を支持させた背フレーム５とから構成されるもので、この椅子本体１の座受４及び背フレーム５に各々座６及び背凭れ７を取り付けるようにしている。
【００１７】
先ず、椅子本体１について説明する。
【００１８】
脚２は、５本の脚羽根２１の中央から支柱２２を立ち上げた構造をなし、支柱２２は昇降可能であって内部に図示しないガススプリング機構を組み込んでいる。
【００１９】
支持基部３は、前記支柱２２の上端部に回転可能に取り付けたもので、図４に示すように、前方に水平に延びその一部に支柱２２を上下方向に貫通させてなる底壁３１と、この底壁３１の前端から斜め前方に傾斜して立ち上がる前壁３２と、これら底壁３１及び前壁３２の周囲より起立して前記底壁３１及び前壁３２とともに内側に上方に開口する機構部収納空間を形成する側壁３３とよりなる概略舟形をなす。この支持基部３は、その側壁３３の前部に、それぞれ背向する方向に軸心を一致させて前座受取付軸３４を一体突設或いは外付けできるようになっている。またこの支持基部３は、その底壁上方を横断する位置に、左右の側壁３３間に亘って背取付軸３５を貫通させている。
【００２０】
座受４は、その平面図を図５、支持基部３に取り付けた状態の斜視図を図６に示すように、前記支持基部３上に位置し、一定間隔を保って前後に平行に延びる縦フレーム４１と、これら縦フレーム４１の前端近傍部間及び後端近傍部間を連結する位置に横架した横フレーム４２とを具備する概略井桁状をなす。各々の縦フレーム４１の前端近傍部には、前後方向に延びる長孔４１１が対応づけて設けてあり、各々の長孔４１１に前記支持基部３の前座受取付軸３４の端部を同長孔４１１に沿ってスライド移動可能に挿入している。
【００２１】
背フレーム５は、図２、図３等に示すように、概略Ｌ字形に屈曲する一対の背フレーム要素５１と、これらの背フレーム要素５１の上端近傍部間を一定の間隙を保って連結する連結部材５２とを具備するもので、一対の背フレーム要素５１間に、当該背フレーム５１の基端５１ａと屈曲部位５１ｂとの間で図４及び図６に示す後座受取付軸５３を架設することができるようにしている。そして、各々の背フレーム要素５１の基端５１ａを前記支持基部３の背取付軸３５に回転可能に取り付け、背フレーム要素５１間に架設した後座受取付軸５３に座受４の縦フレーム４１の後部を取り付けている。
【００２２】
上記の構成によって、図４に示すように、この椅子本体１は、支持基部３の前座受取付軸３４を座受４の長孔４１１の後端側に位置付け背フレーム５が起き上がった図中実線で示す状態において椅子Ｃに通常使用姿勢を与え、支持基部３の前座受取付軸３４を座受４の長孔４１１の前端側に位置付け背フレーム５が後傾した図中想像線に示す状態において座受４の後端を沈み込ませて椅子Ｃに安息姿勢を与え、全体としていわゆるシンクロチルト機構を実現するものである。
【００２３】
そして、この椅子本体１は、前記シンクロチルト機構の一部に反力機構Ｈを組み込んでロッキング装置を構成するとともに、そのロッキングを所定位置に固定するロッキング固定機構Ｅ及びロッキング硬さを調整する反力調整機構Ａを当該ロッキング装置の構成要素として付加している。
【００２４】
反力機構Ｈは、図４及び図６に示すように、前記支持基部３の機構収納空間に後傾姿勢（略４５°）で配置され前上方端を固定リテーナＨ１に支持された一対のコイルスプリングＳと、背取付軸３５上にあって背フレーム５の傾動動作に同期して回転する第１回転アームＨ２と、この第１回転アームＨ２の背取付軸心から偏位した位置に軸回りに取り付けた可動リテーナＨ３とを具備し、この可動リテーナＨ３に前記コイルスプリングＳの後下方端を支持させて、背フレーム５の後傾動作に伴い第１回転アームＨ２を介して可動リテーナＨ３がコイルスプリングＳを圧縮する構造になっている。なお、図６において一対のコイルスプリングＳの間にある第１回転アームＨ２などは省略してある。
【００２５】
ロッキング位置固定機構Ｅは、その平面図を図５、座受４に取り付けた状態の斜視図を図６に示すように、中間部よりもやや基端側を座受４に第１鉛直軸Ｘ１回りに回転可能に取り付けた平面視扇形をなす一対のロック板Ｅ１と、背フレーム５のロッキング動作を前記一対のロック板Ｅ１の同期回転動作に変換する動作変換機構Ｅ２と、ロック板Ｅ１同士を選択的に固定する操作部Ｅ３とからなる。ロック板Ｅ１は、第１鉛直軸Ｘ１を通る径方向断面が下向Ｌ字形をなすもので、円周上にあって垂下した部分の集合である円筒面Ｅ１ａには径方向に開口する孔Ｅ１ｂが所定ピッチで円周方向の複数箇所に亘って設けてあり、同期回転動作に伴って、各孔Ｅ１ｂが両第１鉛直軸Ｘ１の軸心を結ぶ仮想直線ＬＩ１上に次々と到来して密接に対面するものである。動作変換機構Ｅ２は、一端を前記扇形をなすロック板Ｅ１の基端に第２鉛直軸と水平長孔との係わり合い部Ｘ２を介して接続し、他端を支持基部３の前座受取付軸３４に係わり合わせた剛体たる連結部材Ｅ２１からなるもので、ロッキング動作に伴って座受４が支持基部３に対して後下方へ移動すると、この座受４に搭載されているロック板軸支用の第１鉛直軸Ｘ１が追従するのに対して、ロック板Ｅ１の基端に係わり合う第２鉛直軸Ｘ２は連結部材Ｅ２１を介して支持基部３により一定位置に保持されるため、結果的に座受４がロッキングにより沈み込むと、扇形のロック板Ｅ１の円筒面Ｅ１ａが第１鉛直軸Ｘ１に押されて前記係わり合い部Ｘ２の周りを後方に旋回するようになっている。操作部Ｅ３は、前記仮想直線ＬＩ１に軸心を合致させて同軸心方向へ進退可能に配置したロックピンＥ３１と、基端を第３鉛直軸Ｘ３を介して座受４の横フレーム４２に回転可能に取り付けられ先端を水平長孔と鉛直ピンとの係わり合い部Ｘ４を介して前記ロックピンＥ３１に接続した第２回転アームＥ３２と、この第２回転アームＥ３２を前記両ロック板Ｅ１の孔Ｅ１ｂに通過させる方向に押し付けるバネ要素Ｅ４と、この第２回転アームＥ３２を前記バネ要素Ｅ４に抗し引き戻して前記ロックピンＥ３１を両ロック板Ｅ１の孔Ｅ１ｂから抜き取る操作を行うロッキング位置調整操作レバーＥ５とから構成され、ロッキング位置調整操作レバーＥ５は座受４の側方の適宜位置に取り付けてある。前記バネ要素Ｅ４と前記ロッキング位置調整操作レバーＥ５とは、図５に示すワイヤＥ６により接続されている。
【００２６】
このロッキング位置固定機構Ｅの利点としては、座受４の動きに連動させてロック板Ｅ１の外周をより大きく振らし、この外周においてロック板Ｅ１の孔Ｅ１ｂとロックピンＥ３１との係わり合いによりロック板Ｅ１同士を固定、ひいては座受４の動きを止めて背座をそのロッキング位置に固定するものであるため、ロック板Ｅ１の孔Ｅ１ｂの間隔を比較的大きくとっても背座のロッキング固定を比較的小刻みに行える点、第1鉛直軸Ｘ１からロック板Ｅ１の孔Ｅ１ｂとロックピンＥ３１との係わり合いの部分までのトルクアームが当該第1鉛直軸Ｘ１からロック板Ｅ１と連結部材Ｅ２１との係わり合い部Ｘ２までのトルクアームよりも大きいため、ロックに要する力を軽減することができ、ロックピンＥ３１やロック板Ｅ１に剛性さえ付与すれば固定に必要な機構自体を簡素なものにできる点、一対のロック板Ｅ１を相互に拘束し合うことで背凭れ７のロッキング固定を行うため、連結部材Ｅ２１以外の操作部等の要素部品を全て座受４側に搭載することができ、座６の移動に対して操作部を常に一定の相対位置に配置しておくことができる点、さらには、あるロッキング状態で着座者が椅子から離れ、反力機構Ｈによって背座が起き上がろうする方向に動こうとする場合、本実施形態の構造によればロックピンＥ３１がロック板Ｅ１の孔Ｅ１ｂからせん断方向の押付力を受けることになるため、これによる摩擦力でロックピンＥ３１が孔Ｅ１ｂから抜けることが阻止され、椅子から立ち上がっても背座が急激に起き上がることが防止される点、そして再び着座することによって、上記せん断方向の力が消失して改めてロック解除の操作が可能となる点などが挙げられる。また、扇形のロック板Ｅ１は水平面内で回転するだけであるため、薄い設計が可能となる点、扇形のロック板Ｅ１の外周部に互いに噛み合う歯を形成すれば、動作のズレをなくすこともできる点なども利点として挙げられる。
【００２７】
反力調整機構Ａは、図４に示すように、前記コイルスプリングＳの固定リテーナＨ１を、実際には軸状のバックアップ部材Ａ１０によって当該固定位置に保持するように構成した上で、このバックアップ部材Ａ１０を一部に備え水平軸Ａ１１回りに回転可能な第３回転アームＡ１と、この第３回転アームＡ１の前記水平軸Ａ１１から偏位した位置においてその偏位方向と略直交する方向からねじ結合させたグリップＡ２１を有するねじ要素Ａ２とにより構成したもので、そのねじ要素Ａ２は支持基部３の前壁３２を貫通して前壁３２の外部に突出し、その突出位置に当該グリップＡ２１を配置している。そして、グリップ操作を通じてねじ要素Ａ２１にねじ送り動作を与えると、第３回転アームＡ１が水平軸Ａ１１回りに回転して、バックアップ部材Ａ１０を介しリテーナＨ１のバックアップ位置を、コイルスプリングＳの圧縮力を増減させる方向に移動させ得るようにしている。なお、第３回転アームＡ１とねじ要素Ａ２とは、操作位置に応じて交差角度が変化するため、ねじ要素Ａ２の先端に押さえ板Ａ２２を取り付け、第３回転アームＡ１には部分円弧状の突起Ａ１２を形成して、この突起Ａ１２を押さえ板Ａ２２により押し付けさせることで交差角度が変化しても対応できるようにしている。
【００２８】
この反力調整機構Ａの利点としては、コイルスプリングＳの長手寸法内に組み込むことができるため、コイルスプリングＳの一端側に反力調整機構を導入する場合に比べて、反力機構Ｈを含め軸方向のコンパクト化を図ることができる点、コイルスプリングＳを後傾姿勢（この実施形態においては略４５°程度の傾斜）で配置しているため、このコイルスプリングＳを収容している支持基部３の前後寸法の短寸化、ひいては座６を前後スライドさせるときの座６と支持基部３との干渉を有効に回避して動作代を十分に確保することができる点、このようにしても操作用のグリップＡ２１は操作し易い支持基部３の前壁３２に配置できる点、第３回転アームＡ１の腕の長さに基づく「てこ」の作用で軽く操作できる点などが挙げられる。
【００２９】
そして、座６を座受４に取り付けるとともに、背凭れ７を背フレーム５に取り付けて、本実施形態の椅子Ｃは完成される。
【００３０】
本実施形態では、背凭れ７は、図７及び図８に示すように、当該背凭れ７の外形を形作るロの字形をなす弾性材製の芯材７１ａ及びこの芯材７１ａを袋状に縫製した内部に収容してなる張地７１ｂとからなる背凭れ本体７１と、この背凭れ本体７１の上部の背面に配置された下向きコの字形をなし剛性のある素材で作られてなる背凭れ上部補強部材７２と、この背凭れ本体７１の下端部を覆う筐体状の背凭れ下部補強部材７３とを具備する。芯材７１ａはその上下方向中間部よりもやや下方位置にあってランバーサポート部７１ｘとして機能する部分が前方に突出するような右側面視「く」の字形に若干屈曲させて成形してある。さらに、背フレーム要素５１に、背凭れ上支持部５１１を形成している。この背凭れ上支持部５１１にはピン挿通孔５１１ａが設けてあり、このピン挿通孔５１１ａを前記背凭れ上部補強部材７２の下端部７２ａに設けたピン挿通孔７２ａ１に合致させて水平ピン７２１を挿通し、この水平ピン７２１を介して背凭れ上部補強部材７２を背凭れ上支持部５１１に回転可能に接続している。さらに、この背凭れ７の上端部をなす背凭れ本体７１の上方及び背凭れ上部補強部材７２には、共通の上張地７２ｂを被せるようにしている。一方、背凭れ本体７１の下端部は、背凭れ下部補強部材７３の開口部に挿入して背凭れ７の下端部７ｘを形成している。
【００３１】
また、座６の下方には、クランク部８１と一端部に操作部たる操作つまみ８２１を有するクランクシャフト部８２と一端部をクランク部８１に接続したクランクアーム部８３とを具備するクランク機構８を設けている。クランクアーム部８３は、その他端部を背凭れ７の下端部７ｘに接続し、中間部の回転中心Ｘ１０を中心に回転可能に構成して、さらにこのクランクアーム部８３により座６の後端部６ｙを支持するようにしている。そして、前記操作つまみ８２１の回転操作によって背凭れ７の下端部７ｘと座６の後端部６ｙとを連動して昇降させるようにしている。なお、前記クランクアーム部８３は、本実施形態では左右に離間して１対設けられている。
【００３２】
また、前記クランク部８１の移動経路上にこのクランク部８１の移動範囲を規制するストッパ８５（図８では省略）を設けている。このストッパ８５の構成を図１０に示すが、このストッパ８５は樹脂などで構成された断面視略Ｃ字状をなすもので、背フレーム要素５１間に横架して設けたストッパ台板８５１から起立して設けたストッパ取付部材８５２に、開口部をクランク部８１の移動範囲に向けて取り付けている。
【００３３】
そして、背凭れ下部補強部材の背面にはスライダ８６（図８では省略）が設けてあり、適当な位置に固定して設けたガイド部材８７（図８では省略）に常に係り合わせるようにして背凭れ７の下端部７ｘを平行に昇降させるようにしている。
【００３４】
一方、背凭れ７の下端部７ｘには前記クランクアーム部８３の一端を係り合わせる係合部材７４を設けている。一方、前記クランクアーム部８３の一端部には後方に開放された開口部８３ａを設けて前記係合部材７４に係り合わせているとともに、他端部には長穴８３１を設けて前記クランク部８１に係り合わせている。
【００３５】
以下に、このように構成したクランク機構８を用いて背凭れ７の下端部７ｘを図７及び図９の実線に示す位置から想像線に示す位置まで移動させる方法を述べる。
【００３６】
前記操作つまみ８２１を図７の矢印ｘの方向に回転させると、図９に示すように、クランク部８１がクランクシャフト部８２とともに回転し、長孔８３１と前記クランク部８１との係り合わせを介してクランクアーム部８３が回転する。そして、背凭れ７の下端部に設けた係合部材７４が前記クランクアーム部８３の開口部８３ａに持ち上げられて背凭れ７の下端部７ｘが図９の実線に示す位置から想像線に示す位置まで上昇し、クランクアーム部８３の上面８３ｂがカムの役割を果たして座６の後端部６ｙが背凭れ７の下端部７ｘと連動して図９の実線に示す位置から想像線に示す位置まで上昇する。そして、ストッパ８５が径過的に押し開かれてこのストッパ８５にクランク部８１が収容されて保持され、背凭れ７の下端部７ｘ及び座６の後端部６ｙが図９の想像線に示す位置を保つ。
【００３７】
一方、背凭れ７の下端部７ｘが上昇すると、ランバーサポート部７１ｘとして機能する部分が突き上げられて、背凭れ７は図７の実線で示す形状から想像線で示す形状に変形する。
【００３８】
また、逆の操作を行うと、背凭れ７の下端部７ｘは図７及び図９の想像線に示す位置から実線に示す位置に戻り、これに連動して座６の後端部６ｙ及び背凭れ７の形状も図７及び図９の想像線に示す位置から実線に示す位置に戻る。
【００３９】
しかして、本実施形態では、座６の下方に椅子本体１の幅方向に延びる細長い板状の操作板９を設け、座６の前後移動に伴って操作板９を前後に移動し得るように構成するとともに、操作板９を椅子本体１の幅方向に移動させて座６を所定位置にロックし、またロックを解除し得るように構成している。
【００４０】
具体的には、座６、座受４、及び操作板９を示す底面側からの斜視図を図１１、同分解斜視図を図１２、概略平面図を図１３にそれぞれ示すように、操作板９は、一端部を下方に屈曲させて操作部９ａを設けた椅子の幅方向に延びる細長い板状の部材であり、他端部に噛み合いに必要な形状を有する係合部９ｘを設定している。この係合部９ｘは、操作板９の一端面に係合歯９ｂを形成してなるものである。さらに、座６の底面には操作板９を収納する操作板収納溝Ｍ１を設けてこの操作板９を収納するようにし、操作板９の底面と座６の底面とが略面一になるようにしている。いっぽう、椅子本体１を構成する座受４の上面には、前記係合部９ｘが噛み合うことのできる形状を有する被係合部たるロック板４４を固定して設けてある。すなわち、椅子本体１側に被係合部を固定して設けてある。このロック板４４は、前後方向に延びる細長い板状をなすものであり、前記操作板９の係合歯９ｂと対向する面に被係合歯４４ａを形成してなるものである。座６の底面にはロック板収納溝Ｍ２を設けてあり、座６を座受４に載せ置いた際にロック板４４が収納されるようにしてある。なお、前記操作板収納溝Ｍ１とこのロック板収納溝Ｍ２とは、Ｔ字形を形成しており、前記ロック板収納溝Ｍ２の中央部から前記操作板収納溝Ｍ１が直交方向に延びている。さらに詳述すると、前記操作板９には、長孔９ｃが設けてあり、座６に固定した操作板移動ガイドピン６８と係り合わせてこの操作板９を椅子Ｃの幅方向にのみ移動可能にしている。前記操作板移動ガイドピン６８は、本実施形態では先端部に雄ねじ部を設け、座に設けた雌ねじ孔ＨＬ１にねじ止めするようにしている。さらに、この操作板９にはばね収納部９ｄを設け、ばね９１をこのばね収納部９ｄに取り付けて、ばね９１の弾力により操作板がロック板４４に向けて押されるようにして、操作板９の係合歯９ｂとロック板４４の被係合歯４４ａとが密接して噛み合うようにしている。そして、座受４の縦フレーム４１には前後移動ガイド長孔４１ａが設けてあり、座６に固定した突起たる前後移動ガイドピン６９と係り合わせて座６を図１３の実線に示す後方位置ＢＫと図１３の想像線に示す前方位置ＦＷとの間で移動可能にしている。前記前後移動ガイドピン６９は、本実施形態では先端部に雄ねじ部を設け、座に設けた雌ねじ孔ＨＬ２にねじ止めするようにしている。なお、図１３において、座６は輪郭のみを示している。
【００４１】
このように構成した操作板９を用いて座６を前後に移動させる方法を以下に述べる。
【００４２】
まず、操作部９ａを引いて操作板９をロック板４４から離す。すると、操作板の係合歯９ｂとロック板４４の被係合歯４４ａとが噛み合った状態が解除され、座６が前後方向に移動できるようになる。そして、操作板９を引いたまま座６を好みの前後位置に移動させて、操作板９から手を離す。すると、ばね９１の作用により操作板９がロック板４４の方向に押されて、操作板９の係合歯９ｂとロック板４４の被係合歯４４ａとが噛み合い、座６の前後位置がロックされる。
【００４３】
このように、座６の前後位置のロックに板状の操作板９を用いているので、肉薄のものにでき、スペースを節約できる。
【００４４】
特に、本実施形態では操作板９の一端に係合部９ｘを設け、固定側の座受４にこの係合部９ｘと噛み合うことのできる形状を有する被係合部たるロック板４４を固定して設けているので、より簡単な構成でロック機構を実現できる。
【００４５】
また、係合部９ｘに係合歯９ｂを形成し、被係合部たるロック板４４に被係合歯４４ａにより構成しているので、歯を多数設け、ロック強度を確保しつつ固定位置を多段階に設定できる。
【００４６】
さらに、座６を座受４に載せ置くように構成しているので、上載荷重により座の前後スライドをより確実にロックでき、加えて、ロック板４４を座受４の上面に固定して設けているので、簡単な構成で係合歯９ｂと被係合歯４４ａとの噛み合わせを実現することができる。
【００４７】
また、座６の下面に溝Ｍ１を設けて操作板９を収納しているので、座６と座受４との間に無駄なスペースが発生せず、見た目をすっきりできる。
【００４８】
そして、ばね９１の弾性力により操作板９の歯９ｂとロック板４４の歯４４ａとが密着するようにしているので、操作板９に力を加えない状態でも効果的に座６の前後位置をロックしたままにしておくことができる。
【００４９】
なお、本発明は以上に述べた実施形態に限られない。
【００５０】
例えば、被係合部を、座受の縦フレームの内面に設ける等、他の形状にしてもよい。
【００５１】
また、弾性力を用いる代わりに、操作板固定棒を操作板に設けた固定孔に挿し通す等の方法を用いて操作板が力を加えない状態で移動しないようにしてもよい。
【００５２】
さらに、座の下面に溝を設けないようにしてももちろんよい。その場合、座受の縦フレームの一方に操作板挿通孔を設けてこの操作板を挿し通すようにするとともに、他方の縦フレームの前記操作板と対向する位置に被係合部を設けるような構成等が考えられる。
【００５３】
そして、係合部と被係合部は、係合部と被係合部とが噛み合わせ可能であれば、同一形状の歯同士の噛み合わせ以外の構造を用いて構成しても強度を確保しつつピッチを小さくできる効果は得られる。
【００５４】
加えて、操作板の一端部を下方に屈曲させて操作部を形成する代わりに、部品点数は多くなるが、操作を行うためのグリップを別に取り付けるようにしてももちろんよい。
【００５５】
その他の構成も、本発明の趣旨を逸脱しない範囲で種々変形が可能である。
【００５６】
例えば、図１４は変形例としての反力調整機構Ｆを示している。この反力調整機構Ｆは、コイルスプリングＳの固定リテーナＨ１を軸状のバックアップ部材Ｆ１０によって当該固定位置に保持するように構成した上で、このバックアップ部材Ｆ１０を一部に備え鉛直軸Ｆ１１回りに回転可能な回転アームＦ１と、この回転アームＦ１の前記鉛直軸Ｆ１１から偏位した位置においてその偏位方向と略直交する方向からねじ結合させたグリップＦ２１を有するねじ要素Ｆ２とにより構成したもので、そのねじ要素Ｆ２は支持基部３の側壁３３を貫通して側壁３３の外側方に突出し、その突出位置に当該グリップＦ２１を配置している。そして、グリップ操作を通じてねじ要素Ｆ２１にねじ送り動作を与えると、回転アームＦ１が鉛直軸Ｆ１１回りに回転して、バックアップ部材Ｆ１０を介しリテーナＨ１のバックアップ位置を、コイルスプリングＳの初期圧縮量を増減させる方向に移動させ得るようにしているものである。
【００５７】
このように構成すると、支持基部３の底壁３１と直交する方向の嵩張りが抑えられるので、支持基部３及びその周辺の薄肉化を有効に追求することが可能となる。
【００５８】
【発明の効果】
本発明は、以上に詳述したように、脚、支持基部、及び座受を有する椅子本体と、座受に対して前後移動可能に取り付けた座とを具備し、座の下方かつ座と座受との間に椅子本体の幅方向に延びる板状の操作板を設け、座を前後方向に移動可能に構成した椅子において、細長い板状をなす操作板を用いて座の前後位置のロックを行うようにしているので、厚さ方向のスペースを節約することができ、ロック機構を座と座受との間に収納して外観をすっきりさせることが可能になる。
【図面の簡単な説明】
【図１】本発明の一実施形態に係る椅子の正面図。
【図２】同実施形態に係る椅子の側面図。
【図３】同実施形態に係る椅子の背面図。
【図４】同実施形態に係る椅子の支持基部付近を示す縦断面図。
【図５】同実施形態に係る椅子の座受を示す平面図。
【図６】同実施形態に係る椅子の座受を支持基部に取り付けた状態を示す斜視図。
【図７】同実施形態に係る椅子の背凭れの機構及び動作を示す概念図。
【図８】同実施形態に係る椅子の背凭れの構造を示す分解斜視図。
【図９】同実施形態に係る椅子のクランク機構を示す概略図。
【図１０】同実施形態に係る椅子のクランク機構のストッパを示す概略図。
【図１１】同実施形態に係る椅子の座と座受けの接続部分の構造を示す底面斜視図。
【図１２】同実施形態に係る椅子の座と座受けの接続部分を示す分解斜視図。
【図１３】同実施形態に係る椅子の座の前後への移動及びロックを示す概略図。
【図１４】本発明に係る椅子のさらに別の実施態様を示す図。
【符号の説明】
Ｃ…椅子
４…座受
４１ａ…前後移動ガイド長孔（長孔）
６…座
６ｙ…座の後端部
６９…前後移動ガイドピン（突起）
７…背凭れ
７ｘ…背もたれの下端部
７１ｘ…ランバーサポート部
９…操作板
９ｘ…係合部
９ａ…操作部
９ｂ…係合歯（歯）
４４…ロック板（被係合部）
４４ａ…被係合歯（歯）
Ｍ１…操作板収納溝（溝）
【図１】
0004060621.tif 000002
【図２】
0004060621.tif 000003
【図３】
0004060621.tif 000004
【図４】
0004060621.tif 000005
【図５】
0004060621.tif 000006
【図６】
0004060621.tif 000007
【図７】
0004060621.tif 000008
【図８】
0004060621.tif 000009
【図９】
0004060621.tif 000010
【図１０】
0004060621.tif 000011
【図１１】
0004060621.tif 000012
【図１２】
0004060621.tif 000013
【図１３】
0004060621.tif 000014
【図１４】
0004060621.tif 000015